(57)【特許請求の範囲】
【請求項１】
洗い場及び浴槽載置場の略全面をカバーする底板と、その周縁全周にわたって立ち上がる側壁と、前記側壁の先端を水平に折曲させた壁付け面と、前記壁付け面の先端を立ち上がらせた立上り壁と、前記底板下面に縦横に多数形成させた補強リブと、から成る角箱形状の防水パンであって、洗い場から最も遠い浴槽載置場の一辺の周縁下面では所定幅にわたって補強リブを欠き、代わりに前記浴槽載置場の一辺の内側に、前記側壁及び底板に接する補強リブを形成させた防水パン。
【請求項２】
請求項１の防水パンであって、一体に成形されてなる防水パン。
【請求項３】
請求項１の防水パンであって、洗い場の部分と浴槽載置場の部分とは、それぞれ別体に成形されてなる防水パン。
【請求項４】
請求項１〜３の何れかに記載の防水パンを用いて組み立てた浴室ユニット。
【発明の詳細な説明】
【０００１】
【発明の属する技術分野】
本発明は、ホテル、マンション、一般住宅等に設置される浴室ユニット用防水パン及び浴室ユニットに関するものである。
【０００２】
【従来の技術】
図５に従来の浴室ユニット用防水パンを用いた浴室ユニットの例を示す。防水パンは、洗い場４ａ及び浴槽載置場４ｂの略全面をカバーする方形の底板と、その周縁全周にわたって立ち上がる側壁１９と、前記側壁の先端を水平に折曲させた壁付け面２０と、前記壁付け面の先端を立ち上がらせた立上り壁２１と、底板下面に縦横に多数走る補強リブ５とからなる角箱状のもので、これはＳＭＣ等の成形材料を用いて一体に成形されることが多い（特開平１０−１９５９５０号公報ほか）。
図５から分かるように、浴室ユニットが設置される建築躯体１には、通常、その強度を確保するために天井梁２とともに床梁３が設けられているが、防水パンを設置・固定する際に、防水パンの裏面に設けた補強リブ５が床梁３にぶつかる場合がある。このようなぶつかりが生じる場合、従来は、高さ調整部材１７によって防水パンを持ち上げて避けていた。
【０００３】
【発明が解決しようとする課題】
しかし、上記方法、すなわち高さ調整部材によって防水パンを持ち上げて防水パンを設置・固定する方法では持ち上げ分だけ浴室床面が高くなり、そのため防水パンの沓ずり高さ（ドア枠１０の高さ）が上がって、防水パンへの跨ぎ込みが高くなる問題がある。
また、防水パンの下に無駄な空間が生じるほか、壁付け面２０上に壁パネル７を立設して浴室ユニットを組み立てると天井高さ（天井カバー９の高さ）が低くなり、浴室内の空間を狭めて入浴者に圧迫感を与える等の問題もあった。
本発明は、これらの問題を解消すること、すなわち、防水パンへの跨ぎ高さを低くし、防水パンの下に無駄な空間が生じさせず、浴室内空間をできるだけ有効に使って、入浴者に圧迫感を感じさせない防水パン及びその防水パンを用いた浴室ユニットの提供を目的とする。
【０００４】
【課題を解決するための手段】
上記目的を達成するため、本発明では次のような構成をとった。
すなわち、本発明の防水パンは、洗い場４ａ及び浴槽載置場４ｂの略全面をカバーする底板１４と、その周縁全周にわたって立ち上がる側壁１９と、前記側壁１９の先端を水平に折曲させた壁付け面２０と、前記壁付け面２０の先端を立ち上がらせた立上り壁２１と、前記底板１４下面に縦横に多数形成させた補強リブ５と、から成る角箱形状の防水パンであって、洗い場４ａから最も遠い浴槽載置場４ｂの一辺の周縁下面では所定幅にわたって補強リブ５を欠き、代わりに前記浴槽載置場４ｂの一辺の内側に補強リブ６を形成させたことを特徴とする防水パンである。
【０００５】
上記防水パンは、全体が一体に成形されたものとすることができる。
【０００６】
また、上記防水パンは、洗い場４ａの部分と浴槽載置場４ｂの部分とを、それぞれ別体に成形し、これを接続して防水パン全体を構成することもできる。
【０００７】
本発明では、また、上記防水パンを用いて組み立てた浴室ユニットも提供する。
【０００８】
＜作用＞
従来、防水パンは、建築物躯体の床梁を有する部屋に、洗い場から最も遠い浴槽載置場一辺が前記床梁に沿うようにして配置されるのが一般的である。また、入浴者は洗い揚４ａから浴槽１３へ入ることを考えて、防水パン４における浴槽載置場４ｂの床面は洗い場４ａの床面よりも低くなるように設計されている。そのため、防水パン４の浴槽載置場端部では、その裏面の補強リブ部が最も低い位置となり、防水パン４の中で、床梁３の突起にぶつかるとすればこの補強リブ部となる。そこで、この部分（裏面）に補強リブを設けず、代替の補強構造として浴槽載置場端部の内側に補強リブ６を設ければ、従来のように防水パンの裏面に設けた補強リブと床梁とのぶつかりが避けられ、高さ調整部材等で防水パン４を持ち上げる必要がない。
【０００９】
【発明の実施の形態】
以下、発明の実施の形態について、更に具体的に説明する。
図１に本発明の一例の防水パンの斜視図、図２に図１の防水パンのＡ−Ａ断面斜視図を示す。図示したように、洗い場の部分と浴槽載置場の部分とは一体に成形されて成り、防水パン４の浴槽載置場４ｂの一辺の周縁下面は、所定幅（すなわち、床梁の突出を避けることのできる、６〜１０ｃｍ程度）に補強リブを設けず、代わりに、浴槽載置場４ｂの端部内側に、側壁１９と底板１４に接して略直角三角形板状（略直角三角柱）の補強リブ６を複数個設ける。略直角三角形板状の大きさは、直角を挟む２辺の長さが各々３〜５ｃｍ程度、板の幅（板厚み）が５〜１０ｃｍ程度が好ましく、補強リブ６の配置間隔は１０〜５０ｃｍ程度が好ましく、補強リブ６の配置個数は２〜６個程度が好ましい。この補強リブ６により、浴槽載置場４ｂの一辺の強度が保たれる。なお補強リブ６の形状は、補強の機能を果たせば略直角三角形板状に限らない。四分の一円柱形状、それらに類似の形状等であってもよい。
【００１０】
防水パンは、洗い場の部分と浴槽載置場の部分とが一体に成形されたものに限らず、それぞれ別体に成形されたものであってもよい。図３は、別体に成形されたもののうちの浴槽載置場の部分の斜視図である。図示したように、浴槽載置場４ｂの一辺の裏側に、所定幅に補強リブを設けず、代わりに、浴槽載置場４ｂの端部内側に、側壁１９と底板１４に接して略直角三角形板状の補強リブ６を複数個設けている点は、図１と同様である。これに、別体の洗い場の部分の防水パンと接続して、浴室全体の防水パンを構成する。
【００１１】
図４は、上記防水パンを用いて設置された一例の浴室ユニット（縦断面図）である。コンクリートスラブにて形成された建築躯体１は、複数の部屋に区画され、その上隅及び下隅にはそれぞれ天井梁２の突出及び床梁３の突出がある。防水パン４は、この建築躯体１内部に設置される。防水パン４は、一方が洗い場４ａ、他方が浴槽載置場４ｂで、底板１４の裏面には縦横に走る補強リブ５が多数形成されている。浴槽載置場４ｂ一辺端部には上記したように裏側に補強リブを設けず、代わりに、内側に補強リブ形状６を設けている。また、底板１４裏面には支持板（図示せず）とともに高さ調整可能な調整部材１７を設けている。そして、防水パン４の周囲に、壁パネル７、ドア枠１０、ドア額縁１１、ドア１２を立設し、天井梁２の突起に対向する部位に梁逃げカバー８を設け、上部に天井カバー９を設け、浴槽１３を載置・固定し、その他、浴室カウンター、給水装置、給湯装置、シャワー装置、照明装置、換気装置、排水管等の付帯設備を設けて浴室ユニット１６とする。
【００１２】
本発明の防水パンは、通常、ＳＭＣ、ＢＭＣ等の強化プラスチック成形材料をプレス成形して得ることができる。また、ジシクロペンタジエンを原料とする反応射出成形や、ポリプロピレン、ポリエチレン、ポリスチレン、ＡＢＳ樹脂等の熱可塑性樹脂を用いて製造することも可能である。
【００１３】
【発明の効果】
本発明により、防水パンの設置・固定する位置を低く抑えることができ、そのため、沓ずり高さ（ドア枠の高さ）、跨ぎ込み高さを低くすることができる。また、天井高さは相対的に高くなるので、入浴者に天井の低さに起因する圧迫感を与えない。
また、天井梁の突起を逃げるため梁逃げカバーの寸法を大きくとらなければならない問題や、天井低さが原因でドア額縁の開口高さを高く取れない問題も解消され、防水パンの下に無駄な空間が生じない。
更に、建築の設計プランにより、どうしても防水パンの設置高さを低くする必要が生じて床梁を削り取ったり、それによって生じる建築躯体の強度低下も回避される。
【図面の簡単な説明】
【図１】本発明の一例の防水パンの斜視図である。
【図２】図１の防水パンのＡ−Ａ断面斜視図である。
【図３】本発明の他の例の防水パン(浴槽載置場の部分のみ)の斜視図である。
【図４】本発明の一例の浴室ユニットの縦断面図である。
【図５】従来の浴室ユニットの一例の縦断面図である。
【符号の説明】
１：建築躯体                ２：天井梁
３：床梁の突起              ４：防水パン
４ａ：洗い場                ４ｂ：浴槽載置場
５：（底面）補強リブ        ６：（内側）補強リブ
７：壁パネル                ８：梁逃げカバー
９：天井カバー            １０：ドア枠
１１：ドア額縁              １２：ドア
１３：浴槽                  １４：底板
１６：浴室ユニツト          １７：高さ調整部材
１８：床                    １９：側壁
２０：壁付け面              ２１：立上り壁
【図１】
0003856184.tif 000002
【図２】
0003856184.tif 000003
【図３】
0003856184.tif 000004
【図４】
0003856184.tif 000005
【図５】
0003856184.tif 000006